(57)【要約】【課題】ホルダー保持フックへの取付けが容易で、取付け後にホルダー保持フックからは外れることがないカードホルダーを提供する。【解決手段】カードホルダーは、プレート部１とブラケット部２とを有しており、ブラケット部２は、ホルダー保持フック８の起立部８ａが下方から挿入される上保持部９と、ホルダー保持フック８の水平部８ｂを下から支える上保持部９とから成っている。カードホルダーは、ホルダー保持フック８の先端部のカーブに沿って滑らせるような回動操作により、ホルダー保持フック８の先端部に容易に取り付けることができる。取り付けた後は、カードホルダーに外力が作用しても、カードホルダーがホルダー保持フック８から外れることはないし、姿勢変更も確実に行える。【選択図】図５
2018183495.tif 000002
【特許請求の範囲】
【請求項１】
カード類を保持するプレート部と、前記プレート部の裏側に設けたブラケット部とを有しており、前記ブラケット部が、水平部の先端に起立部を設けたホルダー保持フックに取付けられる構成であって、
前記ブラケット部は、前記ホルダー保持フックの起立部に上から嵌まる上保持部と、平面視で前記上保持部の外周の外側に位置して前記ホルダー保持フックの水平部を下から支持する囲い枠状の下保持部とを有しており、前記上保持部の下面と下保持部の上面とのうち少なくともいずれか一方に、前記ホルダー保持フックの水平部と係合して姿勢を保持する係合部が周方向に複数形成されており、
かつ、前記プレート部を、前記ホルダー保持フックにおける起立部を上下保持部の間に横向きで挿入した姿勢から起立部と平行な姿勢に回動させることにより、前記ホルダー保持フックの起立部が上保持部に挿入されるもので、前記下保持部は、プレート部の姿勢変更が許容されるように下向きに撓み変形可能になっている、
商品陳列フック用カードホルダー。
【請求項２】
前記プレート部は、前記ブラケット部が一体に形成された裏板と、前記裏板と一体に繋がった前板とを有しており、前記前板の左右両端部に、前記裏板の左右両側方に位置したサイドリブを設けており、前記プレート部及びブラケット部の全体が透明である、
請求項１に記載した商品陳列フック用カードホルダー。
【発明の詳細な説明】
【技術分野】
【０００１】
本願発明は、商品陳列フックのホルダー保持フックに取り付けて使用する合成樹脂製カードホルダー（カードケース）に関するものである。
【背景技術】
【０００２】
商店等では、商品を吊り下げて陳列するフックが多用されている。この商品陳列フックの一態様として、商品吊り下げフック（下段フック）と、カードホルダー（カードケース）を取り付けるためのホルダー保持フック（上段フック）とが一体化した２段式のものがあり、これは、十手フックと通称されている。
【０００３】
この十手フックにおいて、ホルダー保持フックは、水平部とその先端に曲げ形成した起立部とを有している一方、カードホルダーは、カード類を保持するプレート部とその裏面に設けたブラケット部とを有しており、ブラケット部がホルダー保持フックの前端部に取付けられる。
【０００４】
単純な構造のものでは、ブラケット部は、ホルダー保持フックの起立部が嵌まる穴と、ホルダー保持フックの水平部に上から嵌まる１つの溝とを有しており、カードホルダーのプレート部は、ホルダー保持フックの水平部と直交した姿勢になっている。しかし、このように１つの姿勢しか採れない構造では、店舗での人の流れに方向性がある場合にカード類が視認しにくくなったり、隣合ったフックの最小左右間隔がプレート部の横幅で規定されるため、商品の横幅がプレート部の横幅より小さくても詰めて陳列できずにデッドスペースが発生したりする問題がある。
【０００５】
そこで、カードホルダーを姿勢変更可能とすることが提案されており、その例として、特許文献１では、ホルダー保持フックの前端部に上から嵌め込む方式において、水平部に嵌まる３つの溝を形成することにより、３つの姿勢を選択可能とした構成が開示されている。しかし、この特許文献１の構成では、姿勢変更に際しては、カードホルダーをいったん持ち上げてから下向きに移動させて溝を水平部に嵌め変えるという手順をとらねばならないため、作業が面倒であるという問題がある。
【０００６】
これに対して、特許文献２〜４には、カードホルダーのブラケット部を、ホルダー保持フックの起立部に嵌まる上保持部と、ホルダー保持フックの水平部に下方から当接する下保持部とに分離して、下保持部に、その弾性に抗してホルダー保持フックの水平部に係脱する係合部を周方向に複数個形成することにより、回動させるだけで姿勢を変更できるようにした構成が開示されている。
【０００７】
そして、ホルダー保持フックの起立部を上保持部に嵌め込む手段として、特許文献２では、上保持部に、平面視でプレート部と同じ方向に開口した切り開き溝が形成されている一方、特許文献３では、上保持部には、平面視でプレート部と直交した後ろ向きに開口した切り開き溝が形成されている。他方、特許文献４では、下保持部は左右２つの支持片に分離しており、左右の支持片の間の間隔をホルダー保持フックの外径より小さくすることにより、左右支持片の弾性変形を利用して、ホルダー保持フックの水平部が左右支持片の間の空間を通り抜けるように設定している。
【０００８】
従って、特許文献２，３では、カードホルダーの上保持部は、ホルダー保持フックの起立部に対してこれと直交した方向からの移動によって嵌め込んでおり、特許文献４では、特許文献１と同様に、ホルダー保持フックの起立部に上から（軸方向から）嵌め込んでいる。
【先行技術文献】
【特許文献】
【０００９】
【特許文献１】実開平６−６６４２０のＣＤ−ＲＯＭ
【特許文献２】特開平１１−２０６５２４号公報
【特許文献３】特開２０１６−１６７号公報
【特許文献４】特開２０１６−６３８７３号公報
【発明の概要】
【発明が解決しようとする課題】
【００１０】
商品の陳列状態で、カードホルダーのプレート部は、平面視でホルダー保持フックの水平部と直交した姿勢と傾斜した姿勢とに変更されるものであり、プレート部をホルダー保持フックの水平部と平行な姿勢で使用することはない。従って、特許文献２のように、上保持部の切り開き溝がプレート部と平行な横向きに開口していると、使用状態での姿勢保持のための係合部の位置と切り開き溝との位置が異なっているため、使用状態での姿勢保持機能を損なうことなく、ホルダー保持フックへの取付けを行うことができる利点がある。
【００１１】
また、特許文献２では、平面視で下保持部は上保持部の外側に配置されているため、射出成形法で製造するに際しては、密着・離反する金型（キャビとコアー）で製造することができる。従って、製造コストを抑制できる利点もある。
【００１２】
他方、特許文献３は、平面視で下保持部は上保持部の外側に配置されているため、特許文献１と同様に製造用金型は簡素化できるが、上保持部は後ろ向きに開口していることから、下保持部を下向きに押して変形させるような状態で、上保持部を押し広げてホルダー保持フックの起立部に嵌め込まねばならないため、取付けが面倒であるという問題がある。
【００１３】
更に、特許文献３について述べると、上保持部は左右２つの部分に分離しているため、ホルダー保持フックの起立部に嵌め込むに際しての変形代が小さく、変形させるのに大きな力を要するという問題があり、上保持部を押し広げるのに大きな力を要することに加えて、下保持部も押し曲げる必要があるため、取付けるのに相当に大きな力が必要になると云える。加えて、特許文献３では、カードホルダーを下保持部の弾性に抗して水平回動させるに際して、下保持部は変形せずに上保持部が広がり変形して、上保持部がホルダー保持フックの起立部から外れてしまう事態が生じることも懸念される。
【００１４】
特許文献４は、ホルダー保持フックへの取付けに際しては、下保持部を構成する支持片を曲げ変形させるに過ぎないため、特許文献３に比べると取付けの手間は軽減できると云えるが、平面視で上保持部と下保持部とが重なっているため、製造に際してはスライド型が必要であり、それだけコストが嵩むという問題がある。更に、カードホルダーに下方から突き上げ力が作用すると、カードホルダーがホルダー保持フックから外れてしまう事態が生じるおそれも懸念される。
【００１５】
本願発明は、このような現状を改善すべく成されたものである。
【課題を解決するための手段】
【００１６】
本願発明のカードホルダーは、請求項１のとおり、カード類を保持するプレート部と、前記プレート部の裏側に設けたブラケット部とを有しており、前記ブラケット部が、水平部の先端に起立部を設けたホルダー保持フックに取付けられる、という基本構成である。
【００１７】
そして、前記ブラケット部は、前記ホルダー保持フックの起立部に上から嵌まる上保持部と、平面視で前記上保持部の外周の外側に位置して前記ホルダー保持フックの水平部を下から支持する囲い枠状の下保持部とを有しており、前記上保持部の下面と下保持部の上面とのうち少なくともいずれか一方に、前記ホルダー保持フックの水平部と係合して姿勢を保持する係合部が周方向に複数形成されている。
【００１８】
かつ、前記プレート部を、前記ホルダー保持フックにおける起立部を上下保持部の間に横向きで挿入した姿勢から起立部と平行な姿勢に回動させることにより、前記ホルダー保持フックの起立部が上保持部に挿入されるもので、前記下保持部は、プレート部の姿勢変更が許容されるように下向きに撓み変形可能になっている。
【００１９】
なお、上保持部に関する「起立部に上から嵌まる」とは、ホルダー保持フックの起立部を上向き（縦向き）にした使用状態を基準にした場合ということであり、実際の取付けは、起立部を横向きにしてカードホルダーを嵌め込んだり、ホルダー保持フックとカードホルダーとの両方を動かしながら嵌め込んだり、更に、カードホルダーは固定してホルダー保持フックを動かして嵌め込むこともあり得る。
【００２０】
本願発明は請求項２の構成も含んでおり、この発明は、請求項１において、前記プレート部は、前記ブラケット部が一体に形成された裏板と、前記裏板と一体に繋がった前板とを有しており、前記前板の左右両端部に、前記裏板の左右両側方に位置したサイドリブを設けており、前記プレート部及びブラケット部の全体が透明である。
【発明の効果】
【００２１】
本願発明では、主として下保持部の弾性変形を利用して、ホルダー保持フックの起立部を上保持部に挿入することができるが、この操作は、プレート部を手で掴んで、起立部の先端を支点にして回動させる動きで（或いは、フックを回動させる動きで）行えるため、回動操作は、カードホルダーをしっかりと掴んで強い力で行える。このため、下保持部を大きく変形させる場合でも、取付けを容易に行うことができる。ホルダー保持フックに取り付けた後は、ホルダー保持フックの水平部が上保持部と下保持部とで挟まれるため、カードホルダーは任意の姿勢にしっかりと保持される。
【００２２】
そして、特許文献２と同様に、下保持部は上保持部の外側に配置されているため、上保持部や下保持部の成形のためのスライド型は不要であり、それだけ金型を簡素化してコストを抑制できる。
【００２３】
請求項２の構成を採用すると、全体が一体成形品になるため、製造コストを大幅に低減することができる。
【図面の簡単な説明】
【００２４】
【図１】実施形態を示す図で、（Ａ）は後方斜視図、（Ｂ）は使用状態での後方斜視図、（Ｃ）は使用状態での平面図、（Ｄ）は使用状態での底面図である。
【図２】（Ａ）は前方斜視図、（Ｂ）は左側面図、（Ｃ）は正面図、（Ｄ）は下方からの斜視図、（Ｅ）は収縮後の縦断側面図である。
【図３】背面図である。
【図４】取付け手順の初期状態を示す縦断側面図である。
【図５】（Ａ）はカードホルダーを回動している途中の縦断側面図、（Ｂ）は取付け後の縦断側面図である。
【図６】（Ａ）は変形例の後方斜視図、（Ｂ）は他の変形例の縦断側面図、（Ｃ）は更に他の変形例の縦断側面図である。
【発明を実施するための形態】
【００２５】
(1).構造
次に、本願発明の実施形態を図面に基づいて説明する。カードホルダーは合成樹脂製で全体が透明であり、商品名・価格・バーコード等が表示されたプライスカードＣを保持するプレート部１と、その裏面に設けたブラケット部２とで構成されている。プレート部１は、下端において一体に連結された前板３と裏板４とを有しており、裏板４にブラケット部２が一体成形されている。
【００２６】
裏板４の左右幅は前板３の左右幅よりも少し小さくなっており、前板３の左右両端に、裏板４の左右側方に位置するサイドリブ５を後ろ向きに突設している。このため、プライスカードＣは上から挿入しただけであっても外れ出ることはない。また、前板３の後面でかつ上部には、低い高さで左右一対の膨出部６を形成しており、膨出部６によってプライスカードＣを裏板４に押さえるようにしている。
【００２７】
裏板４の上端部には、プライスカードＣの取り出しを容易にするため半円状の切欠き７を形成している。なお、プライスカードＣは左右幅が相違するものが何種類かあり、このため、カードホルダーも、プレート部１の左右幅が相違するものを何種類か用意することが多い。
【００２８】
ブラケット部２は、商品陳列用２段式フック（十手フック）におけるホルダー保持フック８の前端部（先端部）に取付けられるもので、ホルダー保持フック８の起立部８ａに上らか嵌まる上保持部９と、ホルダー保持フック８の水平部８ｂを下方から支持する下保持部１０とから成っている。
【００２９】
上保持部９は、起立部８ａをガタ付きが全くない状態又は殆どない状態で抱持している。他方、下保持部１０は、平面視で上保持部９を外側から囲う枠状（半円状）の形態であり、平面視において、上保持部９は下保持部１０の内側に位置している。このため、カードホルダーは、特許文献２の同様に、上保持部９の軸方向に相対動して密着・離反する一対の金型を使用して製造できる（但し、裏板４の裏面に刻印を施す場合は、そのためのスライド型が必要になる。）。
【００３０】
ホルダー保持フック８の水平部８ｂは上保持部９と下保持部１０とで挟まれているが、本実施形態では、上保持部９の下面に、ホルダー保持フック８の水平部８ｂに係合する係合凹所を、周方向に複数個形成している。すなわち、平面視において、プレート部１と直交したセンター位置の１つのものを第１係合凹所１１ａとして、その両側に、それぞれ約３０度間隔で第２係合凹所１１ｂ、第３係合凹所１１ｃ、第４係合凹所１１ｄを形成している。
【００３１】
いずれかの係合凹所１１ａ〜１１ｄがホルダー保持フック８の水平部８ｂに嵌まった状態で、係合凹所１１ａ〜１１ｄは水平部８ｂに対して密接又は当接しており、カードホルダーにある程度の水平回転力を付与すると、下保持部１０が下向きに撓み変形して、隣り合った係合凹所の間の山がホルダー保持フック８の水平部８ｂを乗り越える。
【００３２】
従って、カードホルダーを、下保持部１０の弾性力に抗して水平回転させ、第１〜第３の係合凹所１１ａ〜１１ｃをホルダー保持フック８の水平部８ｂに選択的に係合させることにより、プレート部１の姿勢を、ホルダー保持フック８の水平部８ｂと直交した基準姿勢から、左右いずれかに傾斜した姿勢に、３０度間隔で変更できる。第４係合凹所１１ｄがホルダー保持フック８の水平部８ｂに嵌まった状態では、プレート部１はホルダー保持フック８の水平部８ｂと平行になっているので、この平行姿勢で陳列することはない。この平行姿勢は、カードホルダーとフックとのユニットを梱包したり保管したりするときに使用される。
【００３３】
係合凹所の配置は任意に設定できる。例えば、ホルダー保持フック８の水平部８ｂと直交した基準姿勢と、左右いずれかに３０度傾斜した姿勢とに選択できるようにしたり、基準姿勢と４５度傾斜した姿勢に変更できるようにしたり、或いは、１５度間隔で姿勢変更できるようにしたりすることなど、様々な態様が選択可能である。係合凹所のような係合手段は、下保持部１０の上面に形成してもよいし、上保持部９の下面と下保持部１０の上面との両方に形成してもよい。
【００３４】
例えば図５（Ｂ）では、前板３と裏板４との間隔は上に向けて広がっており、図２（Ｅ）を除いた図面は、図５（Ｂ）と同じ形態になっている。このように前板３と裏板４との間隔は上に向けて広がっている形態は、金型の図面上の形態であり、金型から取り出された時点ではこのような形態になっているが、時間の経過と共に樹脂が成形収縮して、前板３が裏板４に向けて倒れ変形して、図２（Ｅ）のように前板３と裏板４とが平行な状態になったり、更に、前板３の上端部が裏板４の上端部に当接又は近接したりすることが多い。従って、プライスカードＣを前板３と裏板４とで挟み保持することができる。前板３は付け根部の弾性に抗して手前に広げることができるので、プライスカードＣの挿入に不都合はない。
【００３５】
上保持部９の内周の下部には、下広がりのテーパ部１２を形成している。また、前板３と裏板４との連接部の左右中間部に逃がし穴１３を形成している。このように逃がし穴１３を形成すると、成形収縮が均等に生じるため、不均等な成形収縮によるひずみの発生を防止して、前板３と裏板４との隙間を左右全体にわたって均等化したり、前板３の上端部を全体的に上保持部９に当接させたりすることができる。従って、高い品質を確保できる。
【００３６】
(2).ホルダー保持フックへの取付け
ホルダー保持フック８へのカードホルダーの取付けは、図４、５に示す手順で行われる。すなわち、まず、図４に示すように、ホルダー保持フック８の起立部８ａに上保持部９と下保持部１０との間の部分を嵌め入れ、次いで、図５（Ａ）に示すように、カードホルダーの全体を、ホルダー保持フック８の曲がりのカーブに沿って滑り移動させるように動かして、主として下保持部１０の弾性に抗して下方に回動させることにより、上保持部９をホルダー保持フック８の起立部８ａに嵌め込む。
【００３７】
この回動操作は、カードホルダーを手でしっかりと掴んだ状態で行うことができ、かつ、下保持部１０にはテコ作用で大きな力を容易に付与できるため、ホルダー保持フック８への取付けを容易に行える。上保持部９がホルダー保持フック８の起立部８ａに嵌まり込むと、ホルダー保持フック８の水平部８ｂは上保持部９と直交した姿勢になるので、下保持部１０は弾性力で元の姿勢に復元し、ホルダー保持フック８の水平部８ｂが下保持部１０と下保持部１０とで上下から挟まれる。また、この実施形態では、取付け当初において起立部８ａの先端が裏板に当たっているため、起立部８ａの先端を支点にして回動操作を正確に行える。
【００３８】
(3).変形例
図６では、ホルダー保持フック８への取付けの容易性を考慮した変形例を示している。このうち（Ａ）に示す例では、裏板４のうち上保持部９の手前に位置した部位のみを肉薄部１２に形成することにより、ホルダー保持フック８の起立部８ａが嵌まり込みやすくなるように配慮している（肉薄部１４の左右幅は数ｍｍで足りる。）。また、上保持部９の上下厚さも小さくして変形を容易ならしめている。
【００３９】
図６（Ｂ）に示す変形例では、変形容易化手段として、まず、下保持部１０の左右中間部に下向きに開口した切り開き溝１５を形成している。このように切り開き溝１５を形成すると、下保持部１０の下部が広がり変形するために、下保持部１０の変形量を抑制できる。切り開き溝１５の上下高さは任意に設定できるし、一点鎖線で示すように、上下全体に亙って形成してもよい。このように上下に切り開いて上保持部９を左右に割った形態に形成すると、上保持部９の弾性変形量を更に大きくできるため、取付けは一層容易になる。
【００４０】
点線で示すように、下保持部１０の左右付け根のうちいずれか一方をサイドスリット１６で分断し、下保持部１０を片持ち梁の態様に形成することも可能である。この場合も、ホルダー保持フック８への取付けに際して上保持部９を大きく変形させ得るため、取付けを容易化できる。サイドスリット１６の幅は起立部８ａの外径よりは遥かに小さいため、使用状態での起立部８ａの保持機能には問題はない。
【００４１】
なお、サイドスリット１６を上保持部９の全高にわたって形成せずに、下向きにのみ開口した状態に形成することも可能である。また、下向きに開口した切り開き溝を、周方向に飛び飛びで複数形成することも可能である。
【００４２】
図６（Ｂ）では、更に、取付け容易化手段として、下保持部１０を左右に分けるセンタースリット１７を形成している。このように、下保持部１０にセンタースリット１７を形成すると、下保持部１０の左右支持部はそれぞれ片持ち梁の状態になって格段に変形しやすくなるため、取付け易さの向上にとって特に有益である。センタースリット１７の溝幅は、取付けに際してホルダー保持フック８の水平部８ｂが逃げ出ないように、できるだけ小さいのが好ましい。なお、センタースリット１７は、カードホルダーを基準姿勢に保持する係合手段としても機能する。
【００４３】
（Ａ）に示した薄肉化や、（Ｂ）に示した切り開き溝１５、スリット１６，１７は、個別に採用してもよいし、任意に組み合わせてもよい（但し、上保持部９の切り開き溝１５を全高に亙って形成することと、サイドスリット１６を全高に亙って形成することとは、併用できない。）。
【００４４】
図６（Ｃ）に示す例では、まず、下保持部１０の一端部を裏板４から分離することにより、下保持部１０を片持ち梁の状態に形成している。このため、下保持部１０の一端と裏板４との間には空間１８が空いている。空間１８はできるだけ小さいのが好ましい。
【００４５】
また、上保持部９を、下保持部１０の他端の側において裏板４から分離することにより、上保持部９も片持ち梁状に形成している。従って、上保持部９の他端と裏板４との間にも、空間１９が空いている。
【００４６】
この例では、ホルダー保持フック８への取付けは、プレート部１を起立部８ａと略平行にした姿勢で行われるが、下保持部１０は大きく撓み変形することが可能であると共に、上保持部９も広がり変形可能であるため、ホルダー保持フック８への取付けを一層容易に行える。なお、下保持部１０のみを片持ち梁状に形成することも可能である。両方を片持ち梁状に形成する場合、空間１８，１９を同じ側に形成してもよい。
【００４７】
更に、図６の状態で、下保持部１０の空間１８を右に形成したが、左に形成してもよい。上保持部９のうち、下保持部１０の空間１８と反対側の部位に、ホルダー保持フック８を横向きで上下保持部９，１０の間に挿入したときに、その先端が当たるストッパー部を下向きに突設することも可能である。
【００４８】
以上、本願発明の実施形態を説明したが、本願発明は他にも様々に具体化できる。例えば、プレート部を構成する前板を裏板とは別体に形成することも可能である。この場合は、裏板及びブラケット部は透明である必要はない。カードホルダーの全体を一体成形する場合、前板と裏板とを側部において一体に繋ぐことも可能である。或いは、前板と裏板とを左右側部において一体に連結して、前板又は裏板若しくは両方の下端に、カード類を落下不能に保持するストッパーリブを設けてもよい。
【００４９】
更に、プレート部を、前板を備えていない単なる平板に形成して、その前面にプライスカードを貼着することも可能である。更に、プレート部に電子タグを取り付けることも可能であり、この場合、電子タグはカード類の概念に含まれる。
【００５０】
実施形態では、上保持部９は概ね平面視円形で下保持部１０は半円状の形態になっており、上保持部９と下保持部１０とが平面視で相似形に近い形態になっているが、例えば、上保持部９は円形に形成して、下保持部１０は平面視角形（コ字形）やＵ字形に形成するなど、両者を非相似形に形成してもよい。平面視での上保持部と下保持部との間の隙間の寸法は、任意に設定できる（隙間をゼロとすることも可能であるし、大きな遊びをもった状態に形成することも可能である。）。
【産業上の利用可能性】
【００５１】
本願発明は、カードホルダーに具体化できる。従って、産業上利用できる。
【符号の説明】
【００５２】
１  プレート部
２  ブラケット部
３  前板
４  裏板
５  サイドリブ
８  ２段式フック（十手フック）の上段部であるホルダー保持フック
８ａ  起立部
８ｂ  水平部
９  下保持部
１０  下保持部
１１ａ〜１１ｃ  係合部の一例としての係合凹所
１２  テーパ部
【図１】
2018183495.tif 000003
【図２】
2018183495.tif 000004
【図３】
2018183495.tif 000005
【図４】
2018183495.tif 000006
【図５】
2018183495.tif 000007
【図６】
2018183495.tif 000008